(57)【要約】【課題】  ムラ欠陥と不均一な光学効率を生じる光学膜を改善したバックライト装置および液晶ディスプレイを提供すること。【解決手段】  フレーム、前記フレームに配置された第一支持部、前記フレームに更に配置された第二支持部、および第一制限部と第二制限部を含み、前記第一制限部と前記第二制限部にそれぞれ穿通した前記第一支持部と前記第二支持部によって前記フレームの上に配置された膜を含み、前記フレームが第一位置に配置された時、前記第一支持部は、前記第一制限部の内壁に部分的に接触し、前記膜を位置決めし、且つ、前記フレームが第二位置に配置された時、前記第二支持部は、前記第二制限部の内壁に部分的に接触し、前記膜を位置決めする液晶ディスプレイのバックライト装置および液晶ディスプレイパネルを採用する。【選択図】  図６
2005326860.tif 000002
【特許請求の範囲】
【請求項１】
フレーム、
前記フレームに配置された第一支持部、
前記フレームに更に配置された第二支持部、および
第一制限部と第二制限部を含み、前記第一制限部と前記第二制限部にそれぞれ穿通した前記第一支持部と前記第二支持部によって前記フレームの上に配置された膜を含み、
前記フレームが第一位置に配置された時、前記第一支持部は、前記第一制限部の内壁に部分的に接触し、前記膜を位置決めし、且つ、
前記フレームが第二位置に配置された時、前記第二支持部は、前記第二制限部の内壁に部分的に接触し、前記膜を位置決めすることを特徴とする液晶ディスプレイのバックライト装置。
【請求項２】
前記第一制限部は、孔または溝を含み、前記第二制限部は、孔または溝を含む請求項１に記載のバックライト装置。
【請求項３】
前記第一制限部と前記第二制限部は、前記膜の反対端にそれぞれ形成される請求項１に記載のバックライト装置。
【請求項４】
前記フレームに配置された第三支持部と第四支持部を更に含み、前記膜は、その反対の角にそれぞれ形成された第三制限部と第四制限部を更に含み、前記第三支持部と前記第四支持部は、前記第三制限部と前記第四制限部にそれぞれ穿通する請求項３に記載のバックライト装置。
【請求項５】
前記フレームに配置された第三支持部と第四支持部を更に含み、前記膜は、その隣接の角にそれぞれ形成された第三制限部と第四制限部を更に含み、前記第三支持部と前記第四支持部は、前記第三制限部と前記第四制限部にそれぞれ穿通する請求項３に記載のバックライト装置。
【請求項６】
前記第一制限部と前記第二制限部は、前記膜の反対の角にそれぞれ形成される請求項１に記載のバックライト装置。
【請求項７】
前記第一制限部と前記第二制限部は、前記膜の隣接の角にそれぞれ形成される請求項１に記載のバックライト装置。
【請求項８】
前記第一制限部と前記第二制限部は、前記膜の中心点に対して対称的に配置される請求項１に記載のバックライト装置。
【請求項９】
前記フレームが前記第二位置に配置された時、第一間隙は、前記第一支持部と前記第一制限部の間に形成され、且つ、前記第一間隙は、温度変化による膜膨張または収縮を許容し、前記フレームが前記第一位置に配置された時、第二間隙は、前記第二支持部と前記第二制限部の間に形成され、且つ、前記第二間隙は、温度変化による膜膨張または収縮を許容する請求項１に記載のバックライト装置。
【請求項１０】
前記第一支持部および前記第二支持部は、それぞれ突出体、円柱、直方体である請求項１に記載のバックライト装置。
【請求項１１】
前記第一制限部および前記第二制限部は、円形、楕円形、長方形、角円の長方形または多辺形の孔である請求項１に記載のバックライト装置。
【請求項１２】
前記フレームが前記第一位置に配置された時、前記第一制限部と前記第一支持部は、重力作用方向に垂直な方向の前記膜の移動範囲を制限し、前記フレームと前記第一支持部は、前記第一支持部の延長方向の前記膜の前記移動範囲を制限する請求項１に記載のバックライト装置。
【請求項１３】
前記フレームが前記第二位置に配置された時、前記第二制限部と前記第二支持部は、重力作用方向に垂直な方向の前記膜の移動範囲を制限し、前記フレームと前記第二支持部は、前記第二支持部の延長方向の前記膜の前記移動範囲を制限する請求項１に記載のバックライト装置。
【請求項１４】
前記第一制限部が楕円形であり、且つ、前記フレームが前記第一位置または前記第二位置に動いた時、前記楕円形第一制限部の長軸は、前記フレームの重力作用方向に対応し、前記第一支持部の移動範囲は、前記楕円形第一制限部の短軸によって制限される請求項１に記載のバックライト装置。
【請求項１５】
前記フレームは、ランプホルダーを更に含み、前記第一支持部と前記第二支持部は、前記ランプホルダーから前記膜に向いて延伸する請求項１に記載のバックライト装置。
【請求項１６】
第一位置と第二位置の間で可動なハウジング、および
前記ハウジングに配置されたバックライト装置を含み、
第一支持部と第二支持部を含むフレーム、および
第一制限部と第二制限部を含む膜を含み、
前記フレームが第一位置に配置された時、前記第一支持部は、前記第一制限部を支え、前記膜を位置決めし、前記第二支持部は、前記第二制限部に接触せず、且つ、
前記フレームが第二位置に配置された時、前記第二支持部は、前記第二制限部を支え、前記膜を位置決めし、前記第一支持部は、前記第一制限部に接触しないことを特徴とする液晶ディスプレイ。
【請求項１７】
前記第一制限部および前記第二制限部は、円形、楕円形、長方形、角円の長方形または多辺形の孔である請求項１６に記載の液晶ディスプレイ。
【請求項１８】
前記フレームが前記第一位置に配置された時、間隙は、前記第二制限部と前記第二支持部の間に形成され、前記フレームが前記第二位置に配置された時、間隙は、前記第一制限部と前記第一支持部の間に形成される請求項１６に記載の液晶ディスプレイ。
【請求項１９】
前記第一制限部と前記第二制限部は、前記膜の反対端にそれぞれ形成される請求項１６に記載の液晶ディスプレイ。
【請求項２０】
前記第一制限部と前記第二制限部は、前記膜の反対の角にそれぞれ形成される請求項１６に記載の液晶ディスプレイ。
【請求項２１】
前記第一制限部と前記第二制限部は、前記膜の隣接の角にそれぞれ形成される請求項１６に記載の液晶ディスプレイ。
【請求項２２】
前記第一支持部と前記第二支持部は、それぞれ突出体、円柱、直方体である請求項１６に記載の液晶ディスプレイ。
【請求項２３】
前記第一位置と前記第二位置の間の回転角度は、９０°、１８０°および２７０℃である請求項１６に記載の液晶ディスプレイ。
【発明の詳細な説明】
【技術分野】
【０００１】
本発明は、バックライト装置および液晶ディスプレイに関し、特に、膜位置決め構造を備えるバックライト装置に関するものである。
【背景技術】
【０００２】
液晶ディスプレイは、ＰＤＡ、ノートブックおよびデスクトップコンピュータのモニター、携帯電話、テレビを含む各種の電子装置に用いられている。いくつかの液晶ディスプレイは、例えば、０°〜９０°、１８０°または２７０℃の異なる角度の間で回転可能である。しかし、大きなパネルは、それに伴い、重量を増加させ、回転の時、荷重問題を招く。
【０００３】
図１は、液晶ディスプレイの従来のバックライト装置１０Ａ（特許文献１参照）の概略図である。図１では、バックライト装置１０Ａは、少なくとも一つの光源（未表示）、複数の光学膜１２０、フレーム１５および光学膜１２０の固定構造を含む。光源は、光学膜１２０とフレーム１５の間に接続される。光源から発された光は、拡散シート、プリズムシートなどの光学膜１２０を通過して光を均一に分散する。注意すべきは、図１は、バックライト装置１０Ａを明確に表示するために上下のハウジングとパネルを省略している。
【０００４】
延伸部１２１、１２２、１２３および１２４は、各光学膜１２０の周囲から延伸する。各延伸部１２１、１２２、１２３および１２４は、その中央に孔１２１ａ、１２２ａ、１２３ａおよび１２４ａを含む。フレーム１５は、４つの溝１５１、１５２、１５３および１５４を含み、それぞれ延伸部１２１、１２２、１２３および１２４に対応する。凸柱１５１ａ、１５２ａは、それぞれ溝１５１、１５２に形成され、ホック１５３ａ、１５４ａは、それぞれ溝１５３、１５４に形成される。光学膜１２０をフレーム１５に固定する時、凸柱１５１ａ、１５２ａ、ホック１５３ａおよび１５４ａは、延伸部１２１、１２２、１２３および１２４の孔１２１ａ、１２２ａ、１２３ａおよび１２４ａを穿通して、延伸部１２１、１２２、１２３および１２４が溝１５１、１５２、１５３および１５４にそれぞれ設置される。よって、光学膜１２０は、フレーム１５にしっかりと固定される。
【０００５】
膜１２０は、フレーム１５にしっかりと固定されるものの、例えば、溝と固定要素（ホックまたは凸柱）などの模型製作は複雑であるため、資本コストが増加される。また、仮に温度が変われば、光学膜１２０は、膨張または収縮する可能性がある。その結果、圧力が膜１２０の角の４つの固定点に集中され、よって、それに伴ってムラ（ｍｕｒａ）欠陥が生じる。
【０００６】
上述の問題を解決するために、ムラ欠陥を防ぐための光学膜の改善された固定構造を有するバックライトモジュール１０Ｂが試みられた（特許文献２参照）。図２および図３に示すように、光学膜１２０は、フレーム１５ｂの上に設置される。各光学膜１２０の一端にのみ、延伸部１２５を含み、その上に孔１２５ｂが形成される。光学膜１２０を組み立てる前に、各光学膜１２０を固定する治具またはその他の道具が必要とされ、延伸部１２５をフレーム１５ｂの溝１５０に合わせる。光学膜１２０がフレーム１５ｂに取り付けられた後、光学膜１２０をその上に固定させるピン１２０ａと固定ベース１２０ｂなどのその他の固定要素が必要とされる。光学膜１２０は、しっかりと固定されるものの、取り付けと取り外すプロセスの余分な時間が必要とされる。また、位置合わせが難しく、その他の位置合わせの道具と治具が必要となる。
【０００７】
また、異なる角度に位置決めする時、例えば、液晶ディスプレイを１８０°に回転する時、光学膜１２０の全重量は、一つの固定点Ｐに集中する。固定位置が非対称的であることから、膜の膨張と収縮の間、圧力が固定点Ｐに集中されるため、光学膜１２０の変形を招く。これはまた、ムラ欠陥と不均一な光学効率をもたらす。
【０００８】
【特許文献１】台湾特許第４４９０４８号
【特許文献２】台湾特許第５５２４４０号
【発明の開示】
【発明が解決しようとする課題】
【０００９】
従って、本発明の目的は、ムラ欠陥と不均一な光学効率を生じる光学膜を改善したバックライト装置および液晶ディスプレイを提供することにある。
【課題を解決するための手段】
【００１０】
本発明は、フレーム、
前記フレームに配置された第一支持部、
前記フレームに更に配置された第二支持部、および
第一制限部と第二制限部を含み、前記第一制限部と前記第二制限部にそれぞれ穿通した前記第一支持部と前記第二支持部によって前記フレームの上に配置された膜を含み、
前記フレームが第一位置に配置された時、前記第一支持部は、前記第一制限部の内壁に部分的に接触し、前記膜を位置決めし、且つ、
前記フレームが第二位置に配置された時、前記第二支持部は、前記第二制限部の内壁に部分的に接触し、前記膜を位置決めすることを特徴とする液晶ディスプレイのバックライト装置を提供するものである。
【００１１】
本発明に係る前記バックライト装置において、前記第一制限部は、孔または溝を含み、前記第二制限部は、孔または溝を含むものである。
【００１２】
本発明に係る前記バックライト装置において、前記第一制限部と前記第二制限部は、前記膜の反対端にそれぞれ形成される。
【００１３】
本発明に係る前記バックライト装置は、前記フレームに配置された第三支持部と第四支持部を更に含み、前記膜は、その反対の角にそれぞれ形成された第三制限部と第四制限部を更に含み、前記第三支持部と前記第四支持部は、前記第三制限部と前記第四制限部にそれぞれ穿通する。
【００１４】
本発明に係る前記バックライト装置は、前記フレームに配置された第三支持部と第四支持部を更に含み、前記膜は、その隣接の角にそれぞれ形成された第三制限部と第四制限部を更に含み、前記第三支持部と前記第四支持部は、前記第三制限部と前記第四制限部にそれぞれ穿通する。
【００１５】
本発明に係る前記バックライト装置において、前記第一制限部と前記第二制限部は、前記膜の反対の角にそれぞれ形成される。
【００１６】
本発明に係る前記バックライト装置において、前記第一制限部と前記第二制限部は、前記膜の隣接の角にそれぞれ形成される。
【００１７】
本発明に係る前記バックライト装置において、前記第一制限部と前記第二制限部は、前記膜の中心点に対して対称的に配置される。
【００１８】
本発明に係る前記バックライト装置において、前記フレームが前記第二位置に配置された時、第一間隙は、前記第一支持部と前記第一制限部の間に形成され、且つ、前記第一間隙は、温度変化による膜膨張または収縮を許容し、前記フレームが前記第一位置に配置された時、第二間隙は、前記第二支持部と前記第二制限部の間に形成され、前記第二間隙は、温度変化による膜膨張または収縮を許容する。
【００１９】
本発明に係る前記バックライト装置において、前記第一支持部および前記第二支持部は、それぞれ突出体、円柱、直方体である。
【００２０】
本発明に係る前記バックライト装置において、前記第一制限部および前記第二制限部は、円形、楕円形、長方形、角円の長方形または多辺形の孔である。
【００２１】
本発明に係る前記バックライト装置において、前記フレームが前記第一位置に配置された時、前記第一制限部と前記第一支持部は、重力作用方向に垂直な方向の前記膜の移動範囲を制限し、前記フレームと前記第一支持部は、前記第一支持部の延長方向の前記膜の前記移動範囲を制限する。
【００２２】
本発明に係る前記バックライト装置において、前記フレームが前記第二位置に配置された時、前記第二制限部と前記第二支持部は、重力作用方向に垂直な方向の前記膜の移動範囲を制限し、前記フレームと前記第二支持部は、前記第二支持部の延長方向の前記膜の前記移動範囲を制限する。
【００２３】
本発明に係る前記バックライト装置において、前記第一制限部が楕円形であり、且つ、前記フレームが前記第一位置または前記第二位置に動いた時、前記楕円形第一制限部の長軸は、前記フレームの重力作用方向に対応し、前記第一支持部の移動範囲は、前記楕円形第一制限部の短軸によって制限される。
【００２４】
本発明に係る前記バックライト装置において、前記フレームは、ランプホルダーを更に含み、前記第一支持部と前記第二支持部は、前記ランプホルダーから前記膜に向いて延伸する。
【００２５】
また、本発明は、第一位置と第二位置の間で可動なハウジング、および
前記ハウジングに配置されたバックライト装置を含み、
第一支持部と第二支持部を含むフレーム、および
第一制限部と第二制限部を含む膜を含み、
前記フレームが第一位置に配置された時、前記第一支持部は、前記第一制限部を支え、前記膜を位置決めし、前記第二支持部は、前記第二制限部に接触せず、且つ、
前記フレームが第二位置に配置された時、前記第二支持部は、前記第二制限部を支え、前記膜を位置決めし、前記第一支持部は、前記第一制限部に接触しないことを特徴とする液晶ディスプレイを提供するものである。
【００２６】
本発明に係る前記液晶ディスプレイにおいて、前記第一制限部および前記第二制限部は、円形、楕円形、長方形、角円の長方形または多辺形の孔からなる。
【００２７】
本発明に係る前記液晶ディスプレイにおいて、前記フレームが前記第一位置に配置された時、間隙は、前記第二制限部と前記第二支持部の間に形成され、前記フレームが前記第二位置に配置された時、間隙は、前記第一制限部と前記第一支持部の間に形成される。
【００２８】
本発明に係る前記液晶ディスプレイにおいて、前記第一制限部と前記第二制限部は、前記膜の反対端にそれぞれ形成される。
【００２９】
本発明に係る前記液晶ディスプレイにおいて、前記第一制限部と前記第二制限部は、前記膜の反対の角にそれぞれ形成される。
【００３０】
本発明に係る前記液晶ディスプレイにおいて、前記第一制限部と前記第二制限部は、前記膜の隣接の角にそれぞれ形成される。
【００３１】
本発明に係る前記液晶ディスプレイにおいて、前記第一支持部と前記第二支持部は、それぞれ突出体、円柱、直方体である。
【００３２】
本発明に係る前記液晶ディスプレイにおいて、前記第一位置と前記第二位置の間の回転角度は、９０°、１８０°および２７０℃である。
【発明の効果】
【００３３】
本発明のバックライト装置によれば、光学膜を自由に膨張または収縮させることができる許容移動範囲の間隙を有するため、圧力集中が防止される。よって、ムラ欠陥を防止することができ、ムラ欠陥を生じることなく自由に回転することができるディスプレイを提供することができる。
【発明を実施するための最良の形態】
【００３４】
本発明についての目的、特徴、長所が一層明確に理解されるよう、以下に実施形態を例示し、図面を参照にしながら、詳細に説明する。
【００３５】
図４は、本発明の実施形態の液晶ディスプレイ２００の概略斜視図である。図５は、本発明の実施形態に基づいた図４のラインｉ−ｉに沿った断面図である。
【００３６】
液晶ディスプレイ２００は、ハウジング３０とその中に設置されたバックライト装置１０を含む。バックライト装置１０は、図５に示すように、フレーム１５、複数の光学膜１２および一対の支持部Ｐ１を含む。各光学膜１２は、一対の孔Ｈ１を含む。注意すべきは、図５では、一対の対応する孔Ｈ１および支持部Ｐ１のみが見える。孔は、制限部とされ、支持部の移動範囲を制限する。孔は、フレーム１５およびハウジング３０の重力作用方向に沿って形成される。
【００３７】
支持部Ｐ１は、プラスチック、金属またはその他の材料を含む。支持部Ｐ１は、フレーム１５から突出し、光学膜１２の孔Ｈ１に対応して穿通し、光学膜１２をフレーム１５に位置させる。本発明の実施形態がバックライト装置１０の光学膜１２の位置決め構造に焦点を当てていることから、バックライト装置１０と液晶ディスプレイ２００のその他の構成要素は省かれる。
【００３８】
図４では、符号“Ｉ、Ｊ、Ｋ”は、固定直交座標を示している。液晶ディスプレイ２００は、座標ＩＪＫに基づいた平面ＩＪの上に位置すると想定される。平面ＩＪは、重力作用方向に平行する。その他の可動の座標ＸＹＺは、液晶ディスプレイ２００と共に移動または回転する。座標ＸＹＺは、液晶ディスプレイ２００の三次元形状を定義する。よって、軸Ｘは、光学膜１２またはフレーム１５の長さに対応する。軸Ｙは、光学膜１２またはフレーム１５の幅に対応する。軸Ｚは、光学膜１２の孔Ｈ１を穿通し、フレーム１５の支持部Ｐ１の延伸方向に対応する。
【００３９】
以下の実施形態では、液晶ディスプレイ２００は、軸Ｋに対して平面ＩＪの固定座標ＩＪＫに基づいて回転することができる。液晶ディスプレイ２００の異なる位置の詳細と、フレーム１５および光学膜１２の各種の組み合わせが以下に提供される。
【００４０】
図６および図７は、本発明の第一実施形態の光学膜および支持部の平面図である。注意すべきは、図６は、図４のラインｉｉ−ｉｉに沿った断面図であり、バックライト装置１０のその他の構成要素を取り除いている。図７は、図６の変形例の概略図である。
【００４１】
図６では、光学膜１２は、第一位置の支持部Ｐ１によってフレーム（未表示）に接続される。図７は、第二位置の光学膜１２を示している。第一位置は、ハウジング３０の元の位置として定義され、光学膜１２の軸Ｙが軸Ｊに対応して、平面ＩＪに掛けられている。第二位置は、ハウジング３０が軸Ｋに対して第一位置から１８０°に回転した時、掛かっている位置である。
【００４２】
第一支持部および第二支持部Ｐ１、Ｐ２は、第一孔および第二孔Ｈ１、Ｈ２をそれぞれ穿通して光学膜１２をフレーム１５に固定し、図５の断面図により明確に示されている。また、フレーム１５は、ランプホルダー（未表示）を含み、支持部は、ランプホルダーから延伸し、フレーム１５から突出して、光学膜１２を支える。
【００４３】
光学膜１２は、第一端２１、第二端２２と中心点Ｃ０を含む。第一端および第二端２１、２２は、互いに相反して設置される。中心点Ｃ０は、光学膜１２の幾何中心である。軸ＣＸおよびＣＹは、中心点Ｃ０で互いに交差し、特に軸ＣＹは、支持部Ｐ１とＰ２の両方を通る。第一孔および第二孔Ｈ１、Ｈ２は、中心点Ｃ０に対して対称的である。第一孔および第二孔Ｈ１、Ｈ２は、それぞれ第一端２１と第二端２２の近くに位置される。つまり、孔は、光学膜１２の周辺に形成される。また、第一孔および第二孔Ｈ１、Ｈ２は、楕円形であり、フレーム１５は、第一位置または第二位置に移動する。楕円形の第一孔および第二孔の長軸は、軸ＣＸに対して、軸ＣＹに対応する。第一支持部の移動範囲は、楕円形第一孔の短軸によって制限される。注意すべきは、軸ＣＹは、光学膜１２の重力作用方向に平行する。
【００４４】
フレーム１５が第一位置（図６）に位置された時、第一端２１は、光学膜１２の上端にあり、第二端２２は、下端にある。光学膜１２の重力のため、第一支持部Ｐ１は、第一孔Ｈ１の内壁Ｓ１に部分的に接触し、光学膜１２を位置決めする。
【００４５】
符号“Ｇ１”は、第一間隙の寸法を示しており、第一支持部Ｐ１を引いた第一孔Ｈ１の残りの部分である。第一間隙Ｇ１のサイズは、光学膜１２の熱膨張係数、パネル温度、室内温度、製造公差と成型公差によって決められる。同様に、間隙Ｇ２とＧ３は、第二孔Ｈ２と第二支持部Ｐ２間の間隙であり、光学膜１２の熱膨張係数、パネル温度、室内温度、製造公差と成型公差によって決められる。よって、間隙Ｇ１、Ｇ２およびＧ３は、温度変化による膜膨張と収縮のための許容間隙を提供する。
【００４６】
孔Ｈ１、Ｈ２の楕円形形状は、方向ＩとＪの支持部Ｐ１、Ｐ２の移動範囲を制限する。フレーム１５が第一位置に配置された時、第一支持部Ｐ１は、第一孔Ｈ１に接触し、光学膜１２を支える。第一孔Ｈ１は、方向Ｉの支持部Ｐ１を制限する。よって、方向Ｉの光学膜１２の移動を制限する。第二支持部Ｐ２は、Ｙ軸に沿って形成された間隙Ｇ２を有する第一位置の光学膜１２を支えない。よって、光学膜１２が温度変化によって膨張または収縮する時、または光学膜１２が自己重力によって引っ張られた時、第二支持部Ｐ２は、光学膜１２の第二孔Ｈ２に接触しない。第二支持部Ｐ２と第二孔Ｈ２間に接触が存在しないことから、その間に圧力が生じない。また、間隙Ｇ１とＧ２は、光学膜１２を自由に膨張または収縮させることができるため、ムラ欠陥を防止する。
【００４７】
フレーム１５が１８０°回転して第二位置（図７）に回転された時、第二端２２は、上端となり、第一端は下端となる。第二支持部Ｐ２は、第二孔Ｈ２の内壁Ｓ２に一部接触し、光学膜１２を支える。符号“Ｇ２”は、光学膜１２の熱膨張係数、パネル温度、室内温度、製造公差と成型公差によって決められる。よって、第二位置では、第二支持部Ｐ２のみが光学膜１２を支える。第二孔Ｈ２は、方向Ｉの第二支持部Ｐ２の移動範囲を制限する。第一支持部Ｐ１は、光学膜１２を支えず、その間に間隙Ｇ１を残す。膨張または収縮の時、間隙Ｇ１とＧ２は、光学膜１２を自由に膨張または収縮させることができるため、ムラ欠陥を防止する。
【００４８】
注意すべきは、第一支持部Ｐ１および第二支持部Ｐ２は、それぞれ突出体、円柱または直方体を含む。第一孔Ｈ１および第二孔Ｈ２は、円形、楕円形、長方形、角円の長方形または多辺形である。
【００４９】
第一実施形態は、図8に示されるような変形例を有し、大型の液晶ディスプレイに適する。パネルのサイズが増加するにつれ、光学膜１２ａとフレームも増加する。よって、膜を位置決めする孔の数は、液晶ディスプレイのサイズによって決められる。
【００５０】
図８に示すように、この変形例では、光学膜１２ａは、その上に定義された三対の孔を含む。つまり、上述の第一孔Ｈ１と第二孔Ｈ２を除いて、第三孔Ｈ３と第四孔Ｈ４を含むもう一対は、それぞれ光学膜１２ａの端２３の隣接する角に定義され、第五孔Ｈ５と第六孔Ｈ６を含むもう一対は、それぞれ光学膜１２ａの端２４の隣接する角に定義される。液晶ディスプレイが第一位置に掛けられた時、光学膜１２ａの端２１の孔Ｈ３、Ｈ１、Ｈ５は、制限部となり、光学膜１２ａの移動を制限する。端２１は、上端となり、その他の孔Ｈ４、Ｈ２、Ｈ６は、反対端２２の下端に位置される。図８に示すように、孔Ｈ３、Ｈ１、Ｈ５と、孔Ｈ４、Ｈ２、Ｈ６は、方向Ｘの軸ＣＸ上の中心点Ｃ０に対して対称的に設置される。
【００５１】
フレーム（未表示）は、また三対の支持部を含む。各支持部は、フレームのランプホルダーから延伸する。第一実施形態で述べた第一支持部および第二支持部Ｐ１、Ｐ２を除いて、支持部を含むもう一対、第三支持部および第四支持部Ｐ３、Ｐ４は、それぞれ第三孔Ｈ３および第四孔Ｈ４に穿通する。支持部を含むもう一対、第五支持部および第六支持部Ｐ５、Ｐ６は、それぞれ第五孔Ｈ５および第六孔Ｈ６に穿通する。支持部Ｐ１、Ｐ２、Ｐ３、Ｐ４、Ｐ５、Ｐ６は、透明プラスチック、金属またはその他の材料を含む。
【００５２】
本変形例では、第一孔および第二孔Ｈ１、Ｈ２は、楕円形である。第三、第四、第五および第六孔Ｈ３、Ｈ４、Ｈ５、Ｈ６は、第一孔および第二孔と異なり、角円の長方形である。
【００５３】
孔の形状は、支持部の可動範囲を決め、よって支持部を制限する。孔Ｈ１、Ｈ２が楕円形であることから、孔Ｈ１、Ｈ２の短軸は、支持部Ｐ１、Ｐ２の半径よりやや大きく、支持部Ｐ１、Ｐ２は、それぞれ方向Ｉで不動となり、方向Ｊで可動する。
【００５４】
また、支持部Ｐ３、Ｐ４、Ｐ５、Ｐ６は、角円の長方形孔Ｈ３、Ｈ４、Ｈ５、Ｈ６を穿通し、方向ＩまたはＪで可動する。よって、第一位置では、上端に位置された支持部Ｐ３、Ｐ１、Ｐ５のみが部分的に孔Ｈ３、Ｈ１、Ｈ５の内壁Ｓ３、Ｓ１、Ｓ５に接触し、光学膜１２を位置決める。
【００５５】
また、既定の間隙Ｇ１Ｙ、Ｇ２Ｙ、Ｇ３Ｘ、Ｇ３Ｙ、Ｇ４Ｘ、Ｇ４Ｙ、Ｇ５Ｘ、Ｇ５Ｙ、Ｇ６Ｘ、Ｇ６Ｙは、各孔Ｈ１、Ｈ２、Ｈ３、Ｈ４、Ｈ５、Ｈ６と、各支持部Ｐ１、Ｐ２、Ｐ３、Ｐ４、Ｐ５、Ｐ６の間に形成される。間隙Ｇ１Ｙ、Ｇ２Ｙ、Ｇ３Ｘ、Ｇ３Ｙ、Ｇ４Ｘ、Ｇ４Ｙ、Ｇ５Ｘ、Ｇ５Ｙ、Ｇ６Ｘ、Ｇ６Ｙの寸法は、光学膜１２の熱膨張係数、パネル温度、室内温度、製造公差と成型公差によって決められる。図に示すように、支持部Ｐ１、Ｐ２は、方向Ｊの間隙Ｇ１ＹおよびＧ２Ｙで可動する。第三、第四、第五と第六支持部Ｐ３、Ｐ４、Ｐ５、Ｐ６は、間隙Ｇ３Ｘ、Ｇ３Ｙ、Ｇ４Ｘ、Ｇ４Ｙ、Ｇ５Ｘ、Ｇ５Ｙ、Ｇ６Ｘ、Ｇ６Ｙで可動する。
【００５６】
注意すべきは、第三支持部および第五支持部Ｐ３、Ｐ５の間隙は、上端２１に近い側辺２３および２４の近くに位置され、異なる機能をする。間隙Ｇ３Ｘは、方向Ｘの光学膜１２ａの熱膨張のための許容である。間隙Ｇ３Ｙは、方向Ｙの光学膜１２ａの熱膨張のための許容である。また、間隙Ｇ５Ｘは、方向Ｘの光学膜１２ａの熱膨張のための許容である。間隙Ｇ４Ｙは、方向Ｙの光学膜１２ａの熱膨張のための許容であり、逆の場合も同じである。よって、第一支持部Ｐ１は、光学膜１２ａの上端で中心支持点として働く。その結果、光学膜１２ａは、点線の矢印に示すように、自由に膨張、または上下、左右の方向と接触することができる。
【００５７】
液晶ディスプレイをさまざまな角度（例えば、元の位置から１８０°に回転するなど）に位置させるために、孔は、中心点Ｃ０に対して対称的に配置され、よって、光学膜の位置を正確に維持することができる。逆さの位置では、第二端２２は、上端となる。第一端２１は、下端となる。孔Ｈ４、Ｈ２、Ｈ６は、膜を支えるための制限部である。支持部Ｐ４、Ｐ２、Ｐ６のみが部分的に孔Ｈ４、Ｈ２、Ｈ６の内壁に接触する。よって、その他の支持部は、光学膜を支えず、熱膨張と収縮をさせる。
【００５８】
最後に、一対の孔は、反対の角、隣接の角または隣接の端の光学膜１２に対称的に定義される。本発明の実施形態の液晶ディスプレイは、ムラ欠陥を生じることなく０°〜３６０℃に自由に回転することができる。
【００５９】
図９〜１２は、本発明の第二実施形態の概略図であり、膜が第一から第二、第三、第四に回転された時の支持部Ｐ１’、Ｐ２’、Ｐ３’、Ｐ４’、Ｐ５’、Ｐ１”、Ｐ２”、Ｐ３”、Ｐ４”、Ｐ５”の相対位置を示している。つまり、液晶ディスプレイの０°、９０°、１８０°および２７０℃の位置角度が例として示されている。
【００６０】
図９に示すように、三対の対称的に位置された孔、Ｈ１’とＨ１”、Ｈ２’とＨ２”、Ｈ３’とＨ３”は、光学膜１２ｂの反対端２１と２２にそれぞれ配置される。液晶ディスプレイが第一位置（角度０°）に配置された時、フレーム（未表示）上の支持部Ｐ１’、Ｐ２’Ｐ３’のみが、孔Ｈ１’、Ｈ２’Ｈ３’の内壁に部分的に接触し、光学膜１２ｂを支える。
【００６１】
図１０に示すように、二対の対称的に位置された孔、Ｈ４’とＨ４”、Ｈ５’とＨ５”は、光学膜１２ｂの反対端２３と２４にそれぞれ配置される。液晶ディスプレイが第二位置（０°から９０°に回転された位置）に配置された時、フレーム（未表示）上の支持部Ｐ４’、Ｐ５’のみが、孔Ｈ４’、Ｈ５’の内壁に部分的に接触し、光学膜１２ｂを支える。
【００６２】
図１１に示すように、液晶ディスプレイが第三位置（０°から１８０°に回転された位置）に配置された時、フレーム（未表示）上の支持部Ｐ１”、Ｐ２”、Ｐ３”のみが、孔Ｈ１”、Ｈ２”、Ｈ３”の内壁に部分的に接触し、光学膜１２ｂを支える。
【００６３】
図１２に示すように、液晶ディスプレイが第四位置（０°から２７０°に回転された位置）に配置された時、フレーム（未表示）上の支持部Ｐ４”、Ｐ５”のみが、孔Ｈ４”、Ｈ５”の内壁に部分的に接触し、光学膜１２ｂを支える。
【００６４】
図を簡略化するために、図９では間隙Ｇ４’、Ｇ５’のみが例として示されている。間隙は、それぞれ方向ＸとＹの各孔と各支持部の間に形成される。間隙は、光学膜の熱膨張係数、パネル温度、室内温度、製造公差と成型公差によって決められる。よって、液晶ディスプレイを回転する時、間隙は、支持部の許容移動範囲であり、孔と支持部の間の直接的な接触を防ぐ。よって、圧力集中が防止され、光学膜は、ムラ欠陥を生じることなく、自由に膨張または収縮できる。
【００６５】
以上、本発明の好適な実施形態を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【産業上の利用可能性】
【００６６】
本発明に係るバックライト装置によれば、光学膜を自由に膨張または収縮させることができる許容移動範囲の間隙を有するため、圧力集中が防止される。よって、前記バックライト装置を用いた本発明に係る液晶ディスプレイは、ムラ欠陥を防止することができ、ムラ欠陥を生じることなく自由に回転することができる。
【図面の簡単な説明】
【００６７】
【図１】図１は、従来のバックライト装置の一例を示す分解図である。
【図２】図２は、従来のバックライト装置の他の例を示す分解図である。
【図３】図３は、図２の局部拡大図である。
【図４】図４は、本発明の実施形態であるバックライト装置を備える液晶ディスプレイの概略図である。
【図５】図５は、図４のラインｉ−ｉに沿った断面図である。
【図６】図６は、本発明の第一実施形態のフィルムと支持部が第一位置で接続される略平面図であり、図４のラインｉ−ｉに沿った断面図である。
【図７】図７は、フィルムと支持部が第二位置にある時の図６に関連する構造のもう一つの略平面図である。
【図８】図８は、前記第一実施形態の変形例の略平面図である。
【図９】図９は、第一位置での本発明の第二実施形態に基づいたフィルムと支持部の結合の概略図である。
【図１０】図１０は、フィルムと支持部が第二位置にある時の図９に関連する構造のもう一つの概略図である。
【図１１】図１１は、フィルムと支持部が第三位置にある時の図９に関連する構造のもう一つの概略図である。
【図１２】図１２は、フィルムと支持部が第四位置にある時の図９に関連する構造のもう一つの概略図である。
【符号の説明】
【００６８】
１０、１０Ａ、１０Ｂ  バックライト装置
１２、１２ａ、１２ｂ  光学膜
１５、１５ｂ  フレーム
２１  第一端
２２  第二端
２３、２４  端
３０  ハウジング
１２０  光学膜
１２１、１２２、１２３、１２４、１２５  延伸部
１２１ａ、１２２ａ、１２３ａ、１２４ａ、１２５ｂ  孔
１５１、１５２、１５３、１５４  溝
１５１ａ、１５２ａ  凸柱
１５３ａ、１５４ａ  ホック
Ｃ０  中心点
ＣＸ、ＣＹ  軸
Ｈ１  第一孔（制限部）
Ｈ２  第二孔（制限部）
Ｈ３  第三孔（制限部）
Ｈ４  第四孔（制限部）
Ｈ５  第五孔（制限部）
Ｈ６  第六孔（制限部）
Ｈ１’、Ｈ２’、Ｈ３’Ｈ４’、Ｈ５’、Ｈ１”、Ｈ２”、Ｈ３”、Ｈ４”、Ｈ５”  孔
Ｇ１、Ｇ２、Ｇ３、Ｇ１Ｙ、Ｇ２Ｙ、Ｇ３Ｘ、Ｇ３Ｙ、Ｇ４Ｘ、Ｇ４Ｙ、Ｇ５Ｘ、Ｇ５Ｙ、Ｇ６Ｘ、Ｇ６Ｙ  間隙
Ｐ１  第一支持部
Ｐ２  第二支持部
Ｐ３  第三支持部
Ｐ４  第四支持部
Ｐ５  第五支持部
Ｐ６  第六支持部
Ｐ１’、Ｐ２’、Ｐ３’、Ｐ４’、Ｐ５’、Ｐ１”、Ｐ２”、Ｐ３”、Ｐ４”、Ｐ５”  支持部
Ｓ１、Ｓ３、Ｓ５  内壁
Ｉ‐Ｊ‐Ｋ  固定直交座標
Ｘ‐Ｙ‐Ｚ  フレームの回転方向に基づき変更した座標システム
Ｐ  固定点
２００  液晶ディスプレイ
【図１】
2005326860.tif 000003
【図２】
2005326860.tif 000004
【図３】
2005326860.tif 000005
【図４】
2005326860.tif 000006
【図５】
2005326860.tif 000007
【図６】
2005326860.tif 000008
【図７】
2005326860.tif 000009
【図８】
2005326860.tif 000010
【図９】
2005326860.tif 000011
【図１０】
2005326860.tif 000012
【図１１】
2005326860.tif 000013
【図１２】
2005326860.tif 000014